(57)【特許請求の範囲】
【請求項１】
基板上にマトリクス状に形成された複数の画素部内に夫々含まれる薄膜化された電流駆動型の複数の発光手段と、各前記発光手段を線順次に夫々駆動する駆動手段と、を備えることを特徴とする表示装置において、
各画素行毎に設けられ、表示すべき表示情報に対応する走査信号が夫々供給される複数の走査線と、
前記走査線と交差するように各画素列毎に設けられ、前記表示情報に対応するデータ信号が夫々供給される複数のデータ線と、
各前記画素部毎に設けられると共に各前記画素部内において前記走査線、前記データ線及び前記発光手段に夫々接続され、前記走査線から供給された前記走査信号に対応して前記データ信号を前記発光手段に供給することにより当該発光手段を駆動する複数の駆動スイッチング手段と、を更に備え、
前記発光手段は、有機エレクトロルミネッセンスであり、該有機エレクトロルミネッセンス及び蓄積容量の一端が夫々前記駆動スイッチング手段に接続され、該有機エレクトロルミネッセンス及び蓄積容量の他端が所定の固定電位に夫々共通的に接続されていることを特徴とする表示装置。
【請求項２】
請求項１記載の表示装置において、前記駆動手段は、各前記画素列毎に設けられ、前記データ信号の蓄積手段への供給を活殺する複数の第１スイッチング手段と、各前記第１スイッチング手段に夫々接続され、前記供給されたデータ信号を蓄積する複数の前記蓄積手段と、各前記蓄積手段に夫々接続され、前記蓄積されたデータ信号を前記表示情報に対応したタイミングで複数の前記駆動スイッチング手段に同時に供給する複数の第２スイッチング手段と、により構成されていることを特徴とする表示装置。
【請求項３】
請求項１記載の表示装置において、前記駆動手段は、
シフトレジスタと、
外部から入力されるディジタル画像信号を、前記シフトレジスタの制御に基づいてサンプリングする第１のスイッチ及び第１ラッチ回路と、
前記サンプリングされたディジタル画像信号を、外部から入力されるラッチ信号のタイミングで転送する第２のスイッチと、
前記転送されたディジタル画像信号を、夫々のデータ線毎に同時に出力する第２ラッチ回路と、
前記第２ラッチ回路から出力されたディジタル画像信号をアナログのデータ信号に変換し、各データ線に供給するＤ／Ａコンバータとより構成されることを特徴とする請求項１記載の表示装置。
【請求項４】
請求項１、２又は３に記載の表示装置において、前記発光手段を駆動する前記駆動スイッチング手段は、ポリシリコンにより形成されている薄膜トランジスタであることを特徴とする請求項１又は２に記載の表示装置。
【請求項５】
請求項１から４のいずれか一項に記載の表示装置において、各前記発光手段は、ライトエミッティングポリマーであることを特徴とする表示装置。
【請求項６】
請求項１から５のいずれか一項に記載の表示装置を備えたことを特徴とする電子機器。
【発明の詳細な説明】
【０００１】
【発明の属する技術分野】
本発明は、いわゆるライトエミッティングポリマー等の電流駆動型（すなわち、素子に流される電流量に応じて発光輝度が変化する駆動型）の発光素子と、当該発光素子の発光動作を制御する薄膜トランジスタ（以下、ＴＦＴ（Thin  Film  Transistor）と称する。）とを画素部毎に備えたアクティブマトリクス型の表示装置の技術分野に属し、より詳細には、当該発光素子の駆動方法の技術分野に属する。
【０００２】
【従来の技術】
従来、ＴＦＴを用いたアクティブマトリクス型の表示装置としては、当該ＴＦＴを画素部毎に備え、これにより液晶層を挟んで対向して配置された画素電極と対向電極との間に電圧を印加し当該液晶層を駆動して画像等を表示するいわゆる液晶表示装置が広く一般化している。
【０００３】
ここで、当該液晶表示装置に用いられるＴＦＴとしては、経時劣化が少ない等の理由からポリシリコンを用いて半導体層を形成するポリシリコンＴＦＴが一般に用いられている。
【０００４】
そして、当該ポリシリコンＴＦＴを用いた液晶表示装置を駆動して画像等を表示する場合には、各画素部毎に配置されているＴＦＴをいわゆる点順次方式或いは線順次方式のいずれか一方で駆動するのが通常であった。
【０００５】
ここで、上記点順次方式とは、一の走査線に接続されている複数のＴＦＴを予め設定された所定時間（例えば、表示すべき画像における一水平走査期間）だけ同時にオン状態に保ち、当該所定時間内にオン状態となっている一行分のＴＦＴについて一つづつ順次データ信号を供給して画像を表示する駆動方式である。
【０００６】
一方、近年、上記液晶表示装置と同様なアクティブマトリクス型の表示装置として、自発光型であって液晶表示装置のようなバックライト等が不要であり、視野角依存性が低く、更に素子製作が容易である等の理由から、ライトエミッティングポリマーや有機ＥＬ（ElectroLuminescence）等の電流駆動型の発光材料を薄膜化して用いた自発光型表示装置に関する研究開発が盛んに行われている。
【０００７】
【発明が解決しようとする課題】
しかしながら、上記自発光型表示装置において、画素部毎に形成された上記発光材料を当該画素部毎にポリシリコンＴＦＴで駆動する場合を考えると、従来の点順次駆動方式で駆動すると、画像表示領域全体としてみた場合に当該画像表示領域内の場所によって輝度むらが発生し、鮮明な画像が得られないという問題点があった。
【０００８】
すなわち、上記自発光型の表示装置においては、電流駆動型の発光材料を用いるため、流れる電流量に応じて輝度が変化する。これに対して従来の点順次駆動方式を適用すると、一の走査線に対応する総てのポリシリコンＴＦＴが同時にオン状態となっている期間のうち最初の方のタイミングでデータ信号が印加される画素部と当該期間のうち最後の方のタイミングでデータ信号が印加される画素部では、夫々に供給される総電流量が異なることとなる。
【０００９】
より具体的には、例えば、夫々に含まれているＴＦＴが一水平走査期間に全て同時にオンとされている一走査線に対応する複数の画素部において、当該一走査線分の画素部のうち、最初の方のタイミングでデータ信号が印加される画素部と当該期間のうち最後の方のタイミングでデータ信号が印加される画素部とを比較すると、最初の方のタイミングでデータ信号が印加される画素部内の発光材料に対するデータ信号の印加が開始されるタイミングは、最後の方のタイミングでデータ信号が印加される画素部内の発光材料に対するデータ信号の印加が開始されるタイミングよりも早い。ところが、当該一走査線分の画素部内の発光材料の夫々に対するデータ信号の供給は、夫々のＴＦＴが全て同時にオフとされるタイミング（一水平走査期間が終了するタイミング）で終了してしまい、データ線の容量によりデータが保持される。従って、最初の方のタイミングでデータ信号が印加される画素部内の発光材料に対するデータ信号の印加時間は、最後の方のタイミングでデータ信号が印加される画素部内の発光材料に対するデータ信号の印加時間よりも長くなる。よって、この結果として、最初の方のタイミングでデータ信号が印加される画素部内の発光材料に流れる電流量は最後の方のタイミングでデータ信号が印加される画素部内の発光材料に流れる電流量よりも多くなり、ゆえに、最初の方のタイミングでデータ信号が印加される画素部と最後の方のタイミングでデータ信号が印加される画素部では、夫々に供給される総電流量が異なることとなるのである。
【００１０】
そして、一の走査線に対応する画素部間で上述したような供給電流量の差異が生じると、最初の方のタイミングでデータ信号が供給される画素部では供給される電流量が多いため輝度が高くなり、一方、最後の方のタイミングでデータ信号が供給される画素部では供給される電流量が少ないために輝度が低くなって、結果として画像表示領域全体でみた場合には、最初の方のタイミングでデータ信号が供給される画素部は明るくなり、最後の方のタイミングでデータ信号が供給される画素部は暗くなってしまうのである。
【００１１】
そこで、本発明は、上記問題点に鑑みて成されたもので、その課題は、電流駆動型の発光材料を用いたアクティブマトリクス型の表示装置において、輝度むらの発生を防止して鮮明な画像を得ることが可能な表示装置及び当該表示装置を備えた電子機器を提供することにある。
【００１２】
【課題を解決するための手段】
上記の課題を解決するために、請求項１に記載の発明は、基板上にマトリクス状に形成された複数の画素部内に夫々含まれる薄膜化された電流駆動型の複数のライトエミッティングポリマー等の発光手段と、各前記発光手段を線順次に夫々駆動するデータ線駆動回路等の駆動手段と、を備える。
【００１３】
請求項１に記載の発明の作用によれば、薄膜化された電流駆動型の発光手段は、基板上にマトリクス状に複数個形成された画素部内に夫々含まれる。
【００１４】
そして、駆動手段は、各発光手段を線順次に夫々駆動する。
【００１５】
よって、マトリクス状に配置された複数の電流駆動型の発光手段を線順次に駆動するので、各発光手段に対して同時に駆動電流の印加が開始されると共に同時に駆動電流の印加が終了することとなる。
【００１６】
従って、各発光手段に供給される電流量が相互に等しくなるので、各発光手段を点順次で駆動する場合に比して表示装置全体における輝度むらの発生を防止できる。
【００１７】
上記の課題を解決するために、請求項２に記載の発明は、請求項１に記載の表示装置において、各画素行毎に設けられ、表示すべき表示情報に対応する走査信号が夫々供給される複数の走査線と、前記走査線と交差するように各画素列毎に設けられ、前記表示情報に対応するデータ信号が夫々供給される複数のデータ線と、各前記画素部毎に設けられると共に各前記画素部内において前記走査線、前記データ線及び前記発光手段に夫々接続され、前記走査線から供給された前記走査信号に対応して前記データ信号を前記発光手段に供給することにより当該発光手段を駆動するＴＦＴ等の複数の駆動スイッチング手段と、を更に備える。
【００１８】
請求項２に記載の発明の作用によれば、請求項１に記載の発明の作用に加えて、  各画素行毎に設けられた複数の走査線には、表示情報に対応する走査信号が夫々供給される。
【００１９】
一方、走査線と交差するように各画素列毎に設けらた複数のデータ線には、表示情報に対応するデータ信号が夫々供給される。
【００２０】
そして、各画素部毎に設けられると共に各画素部内において走査線、データ線及び発光手段に夫々接続され複数の駆動スイッチング手段は、走査信号に対応してデータ信号を発光手段に供給することにより当該発光手段を駆動する。
【００２１】
よって、画素部毎に駆動スイッチング手段を備えているので、高精細な画像を表示することができる。
【００２２】
上記の課題を解決するために、請求項３に記載の発明は、請求項２に記載の表示装置において、各前記駆動スイッチング手段はポリシリコンにより形成されている薄膜トランジスタであるように構成される。
【００２３】
請求項３に記載の発明の作用によれば、請求項２に記載の発明の作用に加えて、各駆動スイッチング手段はポリシリコンにより形成されている薄膜トランジスタであるので、発光手段を駆動するための大電流が長期間流れても発光手段に対する駆動能力が低下することがない。
【００２４】
上記の課題を解決するために、請求項４に記載の発明は、請求項２又は３に記載の表示装置において、前記駆動手段は、各前記画素列毎に設けられ、前記データ信号の蓄積手段への供給を活殺する複数のスイッチ等の第１スイッチング手段と、各前記第１スイッチング手段に夫々接続され、前記供給されたデータ信号をに蓄積する複数のコンデンサ等の前記蓄積手段と、各前記蓄積手段に夫々接続され、前記蓄積されたデータ信号を前記表示情報に対応したタイミングで複数の前記駆動スイッチング手段に同時に供給する複数のスイッチ等の第２スイッチング手段と、により構成される。
【００２５】
請求項４に記載の発明の作用によれば、請求項２又は３に記載の発明の作用に加えて、駆動手段において各画素列毎に設けられた複数の第１スイッチング手段は、データ信号の蓄積手段への供給を活殺する。
【００２６】
一方、駆動手段において各第１スイッチング手段に夫々接続された複数の蓄積手段は、供給されたデータ信号を一時的に蓄積する。
【００２７】
そして、駆動手段において各蓄積手段に夫々接続された複数の第２スイッチング手段は、蓄積されたデータ信号を表示情報に対応したタイミングで複数の駆動スイッチング手段に同時に供給する。
【００２８】
よって、各画素部内の発光手段を効率的に線順次で駆動することができる。
【００２９】
上記の課題を解決するために、請求項５に記載の発明は、請求項１から４のいずれか一項に記載の表示装置において、各前記発光手段は、ライトエミッティングポリマーであるように構成される。
【００３０】
請求項５に記載の発明の作用によれば、請求項１から４のいずれか一項に記載の発明の作用に加えて、各発光手段がライトエミッティングポリマーであるので、高輝度な画像が得られる。
【００３１】
上記の課題を解決するために、請求項６に記載の電子機器は、請求項１から５のいずれか一項に記載の表示装置を備える。
【００３２】
請求項６に記載の発明の作用によれば、電子機器内に請求項１から５のいずれか一項に記載の表示装置を備えているので、輝度むらのない画像を表示することができる。
【００３３】
【発明の実施の形態】
次に、本発明に好適な実施の形態について、図面を用いて説明する。
【００３４】
（Ｉ）表示装置の第１実施形態
始めに、図１乃至図５を用いて、本発明に係る第１の実施形態について説明する。
【００３５】
先ず、第１実施形態に係るアクティブマトリクス型の表示装置の全体構成について、図１を用いてその概要を説明する。
【００３６】
図１にその平面図を示すように、実施形態の表示装置１では、その基体である透明基板１０の中央部分が実際に画像が表示される表示部２とされている。そして、当該透明基板１０の表示部２以外の外周部のうち、図１に向かって上側と下側には、表示すべき画像に対応する画像信号に基づいてデータ線６に対してデータ信号を出力する駆動手段としてのデータ線駆動回路３と、製造途中や出荷時の表示装置１の品質、欠陥等を検査するための検査回路４とが形成されている。
【００３７】
また、当該外周部のうち、図１に向かって左側には、表示すべき画像に基づいて走査線７に対して後述する走査信号を出力する走査線駆動回路５が形成されている。
【００３８】
更に、透明基板１０上において、検査回路４の外側には、上記画像信号や各種の電圧及びパルス信号等を外部から入力するための実装端子９が形成されている。
【００３９】
ここで、表示部２内においては、一のデータ線６と一の走査線７とが交差する領域に一の画素部１１が形成されており、当該画素部１１内には、後述（図３参照）するように、発光手段としてのライトエミッティングポリマーや駆動用のＴＦＴ等が備えられている。
【００４０】
更に、表示部２においては、後述（図３参照）の蓄積容量のための容量線８が各画素部１１で走査線７に平行に配設されている。
【００４１】
次に、上述した画素部１１内に含まれる構成部材について図２及び図３を用いて説明する。なお、図２は、画素部１１内に薄膜化技術により形成されているＴＦＴ等の配置を示す平面図であり、図３は、一の画素部１１毎の等価回路である。
【００４２】
図２に示すように、一の画素部１１内の非発光側の面には、後述するライトエミッティングポリマー（薄膜化されており、より具体的にはスペーサ層、有機発光層及び正孔注入層等が積層されて構成されている。そして、流れる電流の電流量に比例した輝度で自発光する。）に対して電流を印加するための画素電極１２と、当該画素電極１２に対してデータ線６からの画像信号を供給するための駆動スイッチング手段としてのＴＦＴ１３が形成されている。このとき、当該ＴＦＴ１３及び画素電極１２は薄膜化されて形成されており、更にＴＦＴ１３については、ポリシリコンを材料とする半導体層（チャネル領域、ソース領域及びドレイン領域が形成される半導体層）を備えている。
【００４３】
また、画素電極１２に対してライトエミッティングポリマーを挟んで対向する発光側の位置には、当該画素電極１２との間で後述（図３参照）する蓄積容量を形成するための上記容量線８が配設されている。
【００４４】
次に、一の画素部１１内に含まれている各構成部材の等価回路について、図３を用いて説明する。
【００４５】
図３に示すように、一の画素部１１内においては、ＴＦＴ１３のゲート電極Ｇが走査線７に接続され、ソース電極Ｓがデータ線６に接続され、更にドレイン電極Ｄはライトエミッティングポリマー１４及び蓄積容量１５の一端に夫々接続されている。そして、当該ライトエミッティングポリマー１４及び蓄積容量１５の他端は、図示しない所定の固定電位（第１実施形態の場合は接地電位）に夫々共通的に接続されている。
【００４６】
次に、図３に示す等価回路を用いて一の画素部１１における発光動作について説明する。
【００４７】
ライトエミッティングポリマー１４が消灯している初期状態においては、走査線７に走査信号は印加されておらず、従って、ＴＦＴ１３はオフ状態である。
【００４８】
次に、後述するデータ線駆動回路３の動作によりデータ線６に対して上記画像信号に対応するデータ信号（アナログ信号）が供給され、更に後述する当該データ信号の供給に対応するタイミングで走査線７に対して走査線駆動回路５からディジタル信号である走査信号が印加されると、ＴＦＴ１３はオン状態となり、データ線６により伝送されるデータ信号がソース電極Ｓからドレイン電極Ｄへ流れ、更にライトエミッティングポリマー１４及び蓄積容量１５に印加される。
【００４９】
そして、当該ライトエミッティングポリマー１４が印加されたデータ信号の電流量に比例した輝度で自発光を開始すると共に、蓄積容量１５に電荷が蓄積され始める。
【００５０】
その後は、データ線６からのデータ信号の供給が終了しても、蓄積容量１５に蓄積された電荷により引き続きライトエミッティングポリマー１４に電流が流れ、発光が継続される。
【００５１】
次に、第１実施形態に係るデータ線駆動回路３の構成及び動作について、図４及び図５を用いて説明する。なお、図４は当該データ線駆動回路３の概要構成を示すブロック図であり、図５はその動作を説明するためのタイミングチャートである。
【００５２】
図４に示すように、第１実施形態のデータ線駆動回路３は、外部からの上記画像信号Ｓsigを後述する各スイッチ２２ａ、２２ｂ…２２ｍに供給する画像信号線２０と、後述するサンプリングタイミングで後述する各データ線６ａ、６ｂ…６ｍ毎に設けられている上記スイッチ２２ａ、２２ｂ…２２ｍをオン／オフ制御するための制御信号Ｓsw１、Ｓsw２…Ｓswm（夫々ディジタル信号である。）を出力するデータ線駆動シフトレジスタ３’と、当該制御信号Ｓsw１、Ｓsw２…Ｓswmをスイッチ２２ａ、２２ｂ…２２ｍに伝送する制御信号線２４ａ、２４ｂ…２４ｍと、第１スイッチング手段としての上記スイッチ２２ａ、２２ｂ…２２ｍと、外部からの後述するラッチ信号Ｓlt（上記画像信号Ｓsigをデータ線６ａ、６ｂ…６ｍに供給するタイミングが線順次となるように制御するためのラッチ信号Ｓlt）を後述する各スイッチ２３ａ、２３ｂ…２３ｍに夫々供給するラッチ信号線２１と、各データ線６ａ、６ｂ…６ｍ毎に設けられている第２スイッチング手段としての上記スイッチ２３ａ、２３ｂ…２３ｍと、各データ線６ａ、６ｂ…６ｍ毎に設けられている蓄積手段としてのコンデンサ２５ａ、２５ｂ…２５ｍ及び２６ａ、２６ｂ…２６ｍと、各データ線６ａ、６ｂ…６ｍに供給すべき後述するデータ信号Ｓａ、Ｓｂ…Ｓｍを所定の増幅率で増幅して夫々供給するアンプ２７ａ、２７ｂ…２７ｍと、により構成されている。
【００５３】
次に、データ線駆動回路３及び走査線駆動回路５による第１実施形態に係る発光制御動作について、図５に示すタイミングチャートを用いて説明する。なお、図５は、図４における各ライトエミッティングポリマー１４を発光させる発光制御動作のうち、最上段のライトエミッティングポリマー１４ａ、１４ｂ…１４ｍの発光を制御するための発光制御動作を示すものである。また、図５中、符号６ａ、６ｂ及び６ｍは、夫々データ線６ａ、６ｂ及び６ｍの寄生容量における電圧の時間変化を示し、また、符号１４ａ、１４ｂ及び１４ｍは、夫々ライトエミッティングポリマー１４ａ、１４ｂ及び１４ｍに印加される電圧の時間変化を示ししている。
【００５４】
先ず、図５下から７段目に示す波形の画像信号Ｓsig（アナログ信号であり、図５下から７段目に示す場合は、最初に各走査信号Ｓg１、Ｓg２…Ｓgnを出力するタイミング（以下、この期間を第１フレームと称する。）ではライトエミッティングポリマー１４ａと１４ｍのみを発光させるための画像信号Ｓsig（後述する制御信号Ｓsw１及びＳswmに同期している。）が入力され、次の走査信号Ｓg１、Ｓg２…Ｓgnを出力するタイミング（以下、この期間を第２フレームと称する。）ではライトエミッティングポリマー１４ｂのみを発光させるための画像信号Ｓsig（後述する制御信号Ｓsw２に同期している。）が入力されている。）が入力されると、データ線駆動シフトレジスタ３’は、当該画像信号Ｓsigを予め設定されている所定のタイミングでサンプリングするための上記制御信号Ｓsw１、Ｓsw２…Ｓswmを夫々一サンプリング周期づつずらして走査信号Ｓg１、Ｓg２…Ｓgn毎に出力する（図５上から４段目乃至６段目参照。）。
【００５５】
これにより、上記スイッチ２２ａ、２２ｂ…２２ｍが当該Ｓsw１、Ｓsw２…Ｓswmが「ＨＩＧＨ」となるタイミングでオンとなり、入力されている横一行分の画像信号Ｓsigが夫々のタイミングでサンプリングされた結果、コンデンサ２５ａ、２５ｂ…２５ｍが充電される。なお、図５に示す場合には、第１フレームの期間では、ライトエミッティングポリマー１４ａと１４ｍのみを発光させるための画像信号Ｓsigが入力されているので、このときには対応するコンデンサ２５ａと２５ｍのみが充電されることとなる。
【００５６】
そして、横一行分の画像信号Ｓsigについて、全てのデータ線６に対するサンプリングが完了すると、その直後に図５下から８段目に示すラッチ信号Ｓltが供給され、上記スイッチ２３ａ、２３ｂ…２３ｍが同時にオンとなる。
【００５７】
すると、各コンデンサ２５ａ、２５ｂ…２５ｍに蓄積されていた電荷が当該スイッチ２３ａ、２３ｂ…２３ｍを介してデータ信号Ｓａ、Ｓｂ…Ｓｍとして各アンプ２７ａ、２７ｂ…２７ｍ並びにコンデンサ２６ａ、２６ｂ…２６ｍに供給される。
【００５８】
そして、コンデンサ２６ａ、２６ｂ…２６ｍが供給されたデータ信号Ｓａ、Ｓｂ…Ｓｍにより充電されると共に、アンプ２７ａ、２７ｂ…２７ｍが当該供給されたデータ信号Ｓａ、Ｓｂ…Ｓｍを増幅し、各データ線６ａ、６ｂ…６ｍに出力する。これにより、各データ線６ａ、６ｂ…６ｍにおける寄生容量が充電される（図５下から４段目乃至６段目参照。）。なお、図５に示す場合には、第１フレームの期間では、ライトエミッティングポリマー１４ａと１４ｍのみ発光させるための画像信号Ｓsigが入力されているので、このときにはデータ線６ａの寄生容量とデータ線６ｍの寄生容量のみが充電されることとなる。
【００５９】
そして、各データ線６ａ、６ｂ…６ｍの寄生容量の充電が開始された後、走査信号Ｓg１が走査線７ａに供給されると（図５最上段参照。）、当該走査信号Ｓg１が「ＨＩＧＨ」である期間だけ各ＴＦＴ１３ａ、１３ｂ…１３ｍが同時にオンとなり、従って、当該期間だけ各データ線６ａ、６ｂ…６ｍの寄生容量及びコンデンサ２６ａ、２６ｂ…２６ｍに充電されていた上記データ信号Ｓａ、Ｓｂ…Ｓｍが同時に各ライトエミッティングポリマー１４ａ、１４ｂ…１４ｍに供給され、これにより当該ライトエミッティングポリマー１４ａ、１４ｂ…１４ｍが自発光する。
【００６０】
このとき、走査信号Ｓg１が「ＬＯＷ」となった以降は、各画素部１１内の蓄積容量１５が放電することにより、各ライトエミッティングポリマー１４ａ、１４ｂ…１４ｍにおける発光が継続されると共にその発光量が漸次減少する（図５最下段乃至下から３段目参照。）。なお、図５に示す場合には、第１フレームの期間ではライトエミッティングポリマー１４ａと１４ｍのみが発光することとなる。
【００６１】
ここで、第１実施形態では、走査信号Ｓg１により最上段一行分のＴＦＴ１３ａ、１３ｂ…１３ｍが同時にオン／オフ制御されるので、ライトエミッティングポリマー１４ａ、１４ｂ…１４ｍ（第１フレームの期間ではライトエミッティングポリマー１４ａと１４ｍのみ）は同時に発光を開始し、同時に発光を終了する。従って、各ライトエミッティングポリマー１４ａ、１４ｂ…１４ｍの発光量は、図５最下段乃至下から２段目に斜線で示す面積に比例することとなるので、結果として一行分の各ライトエミッティングポリマー１４ａ、１４ｂ…１４ｍの発光量はすべて等しくなり、画素一行分に含まれるライトエミッティングポリマー１４相互間の輝度むらはなくなる。
【００６２】
なお、走査信号Ｓｇ１が「ＬＯＷ」となった以降は、第２行目に含まれる各ＴＦＴ１３を駆動するための走査信号Ｓｇ２、第３行目に含まれる各ＴＦＴ１３を駆動するための走査信号Ｓｇ３等が走査線駆動回路５により順次タイミングをずらしながら印加される（図５上から２段目乃至３段目参照。）。
【００６３】
その後は、上述した動作が繰り返されて各ライトエミッティングポリマー１４の発光タイミング及び発光量が制御される。
【００６４】
次に、図５において、第２フレームの期間ではライトエミッティングポリマー１４ｂのみを発光させるための画像信号Ｓsigが入力されているので、この場合には、当該第２フレームの期間に対応する上述の動作のうち、データ線６ｂに対応するスイッチ２２ｂ及び２３ｂ、コンデンサ２５ｂ及び２６ｂ並びに８アンプ２７ｂの動作のみが発光に寄与することとなる。
【００６５】
そして、この結果、ライトエミッティングポリマー１４ｂのみが発光する。この場合、図５に示す画像信号Ｓsigの各パルスの振幅がすべて同じであれば、当該ライトエミッティングポリマー１４ｂの発光量も、先のライトエミッティングポリマー１４ａ又は１４ｍの発光量と等しくなる（図５下から二段目者斜線部参照。）
以上説明したように、第１実施形態のデータ線駆動回路３及び走査線駆動回路５の動作によれば、マトリクス状に配置された複数のライトエミッティングポリマー１４を各行毎に線順次に駆動するので、各ライトエミッティングポリマー１４に対して同時にデータ信号Ｓａ、Ｓｂ…Ｓｍの印加が開始されると共に同時にその印加が終了することとなり、結果として各ライトエミッティングポリマー１４に供給される電流量が相互に等しくなるので、各ライトエミッティングポリマー１４を点順次で駆動する場合に比して表示装置１全体における輝度むらの発生を防止できる。
【００６６】
また、各画素部１１内にＴＦＴ１３を形成して各ライトエミッティングポリマー１４を発光させるので、高精細な画像を表示することができる。
【００６７】
更に、各ＴＦＴ１３がポリシリコンにより形成されているので、各ライトエミッティングポリマー１４を駆動するための大電流が長期間流れても駆動能力が低下することがない。
【００６８】
更にまた、例えばコンデンサ２５ａ及び２６ａ並びにスイッチ２２ａ及び２３ａによりデータ線６ａに接続されているライトエミッティングポリマー１４ａを発光させるので、各ライトエミッティグポリマー１４を効率的に線順次で駆動することができる。
【００６９】
更に、自発光型のライトエミッティングポリマー１４を用いているので、表示装置１として高輝度な画像が得られる。
【００７０】
（II）表示装置の第２実施形態
次に、本発明に係る他の実施形態である第２実施形態のデータ線駆動回路の構成及び動作について、図６を用いて説明する。なお、図６において、上記第１実施形態と同様の部材については、同様の部材番号を付して細部の説明は省略する。
【００７１】
上述した第１実施形態においては、画像信号Ｓsigがアナログ信号である場合について説明したが、第２実施形態では、実装端子９を介して外部から入力される画像信号Ｓsigが例えば３ビットのディジタル信号である場合について説明する。尚、本実施形態では３ビットを例として説明するが、これに限るものではない。
【００７２】
図６に示すように、第２実施形態のデータ線駆動回路３Ａは、シフトレジスタ３０と、スイッチ３４及び３５と、第１ラッチ回路３１と、第２ラッチ回路３２と、一のデータ線６毎に設けられたＤ／Ａコンバータ３３とにより構成されている。
【００７３】
また、第１ラッチ回路３１は、画像信号Ｓsigにおける各ビットに対応して、ラッチ回路３１Ａとラッチ回路３１Ｂとラッチ回路３１Ｃとにより構成されている。
【００７４】
更に、第２ラッチ回路３２は、画像信号Ｓsigにおける各ビットに対応して、ラッチ回路３２Ａとラッチ回路３２Ｂとラッチ回路３２Ｃとにより構成されている。
【００７５】
次に、動作を説明する。
【００７６】
スイッチ３５及び第１ラッチ回路３１は、外部から入力される３ビットの画像信号Ｓsigを、シフトレジスタ２０の制御に基づいてサンプリングする。
【００７７】
次に、スイッチ３４は、外部から入力されるラッチ信号Ｓltで示されるタイミングで、上記サンプリングされた各ビット毎の画像信号Ｓsigを第２ラッチ回路２２内の夫々のラッチ回路３２Ａ乃至３２Ｃへ転送する。
【００７８】
そして、第２ラッチ回路３２は、各画素部１１内のライトエミッティングポリマー１４を線順次駆動するタイミングで、上記転送された各ビット毎のディジタル画像信号Ｓgを夫々のデータ線６毎に同時にＤ／Ａコンバータ３３へ出力する。
【００７９】
次に、各Ｄ／Ａコンバータ３３は、入力されている画像信号Ｓsigを各データ線６毎に当該画像信号Ｓsigで示されるディジタル値に応じた大きさの電流値を有するアナログのデータ信号に変換し、各データ線６に供給する。
【００８０】
その後、走査線７により供給される上記走査信号Ｓg１、Ｓg２等により駆動される各ＴＦＴ１３を介して上記データ信号が同時に各ライトエミッティングポリマー１４に供給され、夫々のライトエミッティングポリマー１４が画像信号Ｓsigで示されるディジタル値に応じた発光量で発光することとなる。
【００８１】
以上説明した第２実施形態のデータ線駆動回路３Ａの動作によれば、入力される画像信号Ｓsigがディジタル信号であっても、上記第１実施形態と同様の効果が得られ、輝度むらのない高精細な画像を表示することができる。
【００８２】
なお、上記の実施形態では発光素子としてライトエミッティングポリマー１４を用いた場合について説明したが、本発明は、これ以外に、有機又は無機のＥＬ（ElectroLuminescence）素子等の電流駆動型の発光素子を用いた表示装置に対して広く適用することが可能である。
【００８３】
（III）電子機器の実施形態
次に、上述した実施形態の表示装置１を用いた種々の電子機器の実施形態について、図７乃至図１０を用いて説明する。
【００８４】
上述の表示装置１を用いて構成される電子機器は、図７に示す表示情報出力源１０００、表示情報処理回路１００２、表示駆動回路１００４、表示パネル１００６、クロック発生回路１００８及び電源回路１０１０を含んで構成される。
【００８５】
このうち、表示情報出力源１０００は、ＲＯＭ（Read  Only  Memory）、ＲＡＭ（Random  Access  Memory）などのメモリ、テレビ信号を同調して出力する同調回路などを含んで構成され、クロック発生回路１００８からのクロック信号に基づいて、ビデオ信号などの表示情報を出力する。
【００８６】
表示情報処理回路１００２は、クロック発生回路１００８からのクロック信号に基づいて表示情報を処理して出力する。この表示情報処理回路１００２は、例えば増幅・極性反転回路、相展開回路、ローテーション回路、或いはクランプ回路等を含むことができる。
【００８７】
次に、表示駆動回路１００４は、走査線駆動回路及びデータ線駆動回路を含んで構成され、表示パネル１００６を表示駆動する。
【００８８】
そして、電源回路１０１０は、上述の各回路に電力を供給する。
【００８９】
上述した構成の電子機器の例として、図８に示すマルチメディア対応のパーソナルコンピユータ（ＰＣ）及びエンジニアリング・ワークステーション（ＥＷＳ）、図９に示すページャがあり、更に他の例としては、携帯電話、ワードプロセッサ、テレビ、ビユーファインダ型又はモニタ直視型のビデオテープレコーダ、電子手帳、電子卓上計算機、カーナビゲーション装置、ＰＯＳ端末、タッチパネルを備えた装置などを挙げることができる。
【００９０】
図８に示すパーソナルコンピユータ１２００は、キーボード１２０２を備えた本体部１２０４と、本発明の表示装置を含む表示部１２０６とを有する。
【００９１】
【発明の効果】
以上説明したように、本発明によれば、電流駆動型の発光手段を線順次に駆動するので、表示装置全体に渡って輝度むらのない高精細な画像を表示することができる。
【図面の簡単な説明】
【図１】表示装置の全体構成を示す平面図である。
【図２】画素部の具体的な構成を示す平面図である。
【図３】画素部の等価回路である。
【図４】第１実施形態のデータ線駆動回路等の構成を示すブロック図である。
【図５】第１実施形態のデータ線駆動回路等の動作を示すタイミングチャートである。
【図６】第２実施形態のデータ線駆動回路等の構成を示すブロック図である。
【図７】電子機器の概要構成を示すブロック図である。
【図８】パーソナルコンピュータの外観を示す正面図である。
【符号の説明】
１…表示装置
２…表示部
３…データ線駆動回路
３’…データ線駆動シフトレジスタ
４…検査回路
５…走査線駆動回路
６、６ａ、６ｂ、６ｍ…データ線
７、７ａ、７ｂ、７ｎ…走査線
８…容量線
９…実装端子
１０…透明基板
１１…画素部
１２…画素電極
１３、１３ａ、１３ｂ、１３ｍ…ＴＦＴ
１４、１４ａ、１４ｂ、１４ｍ…ライトエミッティングポリマー
１５、１５ａ、１５ｂ、１５ｍ…蓄積容量
２０…画像信号線
２１…ラッチ信号線
２２ａ、２２ｂ、２２ｍ、２３ａ、２３ｂ、２３ｍ、３４、３５…スイッチ
２４ａ、２４ｂ、２４ｍ…制御信号線
２５ａ、２５ｂ、２５ｍ、２６ａ、２６ｂ、２６ｍ…コンデンサ
２７ａ、２７ｂ、２７ｍ…アンプ
３０…シフトレジスタ
３１…第１ラッチ回路
３１Ａ、３１Ｂ、３１Ｃ、３２Ａ、３２Ｂ、３２Ｃ…ラッチ回路
３２…第２ラッチ回路
３３…Ｄ／Ａコンバータ
Ｇ…ゲート電極
Ｄ…ドレイン電極
Ｓ…ソース電極
Ｓsig…画像信号
Ｓa、Ｓb、Ｓm…データ信号
Ｓlt…ラッチ信号
Ｓg１、Ｓg２、Ｓgm…走査信号
Ｓsw１、Ｓsw２、Ｓswm…制御信号
【図１】
0003800831.tif 000002
【図２】
0003800831.tif 000003
【図３】
0003800831.tif 000004
【図４】
0003800831.tif 000005
【図５】
0003800831.tif 000006
【図６】
0003800831.tif 000007
【図７】
0003800831.tif 000008
【図８】
0003800831.tif 000009